(57)【要約】【課題】フレキシブル表示パネルの柔軟性に最適化したイメージを表示する表示装置を提供する。【解決手段】表示装置は、磁性体で形成された磁性パターンを含むフレキシブル表示パネル、前記磁性パターンの磁性を認識し、第１方向に可変的に露出する前記フレキシブル表示パネルの表示面積をセンシングする磁性センサー、及び前記磁性センサーと前記フレキシブル表示パネルと連結しており、前記磁性センサーがセンシングした前記フレキシブル表示パネルの前記表示面積に対応するイメージを前記フレキシブル表示パネルに表示する制御部を含む。【選択図】図２
2013242530.tif 000002
【特許請求の範囲】
【請求項１】
磁性体に形成された磁性パターンを含むフレキシブル表示パネル、
前記磁性パターンの磁性を認識し、第１方向に可変的に露出する前記フレキシブル表示パネルの表示面積をセンシングする磁性センサー、及び
前記磁性センサーと前記フレキシブル表示パネルと連結しており、前記磁性センサーがセンシングした前記フレキシブル表示パネルの前記表示面積に対応するイメージを前記フレキシブル表示パネルに表示する制御部、
を含む、表示装置。
【請求項２】
前記フレキシブル表示パネルの前記表示面積が前記第１方向に可変的に露出するように、前記フレキシブル表示パネルが前記第１方向に沿って内部に出入りするハウジングをさらに含む、請求項１に記載の表示装置。
【請求項３】
前記ハウジングは、
前記ハウジング内部に位置して前記フレキシブル表示パネルが巻かれるロール部を含む、請求項２に記載の表示装置。
【請求項４】
前記磁性センサーは、前記磁性パターンと対応し、前記ハウジング内部に位置する、請求項２又は３に記載の表示装置。
【請求項５】
前記フレキシブル表示パネルの前記表示面積が前記第１方向に可変的に露出するように、前記フレキシブル表示パネルの一端部は前記フレキシブル表示パネルの一領域が折り畳まれ、前記第１方向上に位置する前記フレキシブル表示パネルの板面と接する、請求項１に記載の表示装置。
【請求項６】
前記磁性センサーは、前記フレキシブル表示パネルの前記一端部に位置する、請求項５に記載の表示装置。
【請求項７】
前記磁性パターンは、前記第１方向に沿って前記フレキシブル表示パネルに形成される、請求項１〜６の何れか一項に記載の表示装置。
【請求項８】
前記磁性パターンは、前記第１方向に沿って互いに離隔して配置された複数のサブパターンを含む、請求項１〜７の何れか一項に記載の表示装置。
【請求項９】
前記複数のサブパターンそれぞれは、前記第１方向に行くほど前記第１方向と交差する第２方向に長さが漸進的に長くなる、請求項８に記載の表示装置。
【請求項１０】
前記磁性センサーは、前記複数のサブパターンのうちで前記第２方向に長さが最も長いサブパターンと対応する長さを有する、請求項８又は９に記載の表示装置。
【請求項１１】
前記複数のサブパターンそれぞれは、前記第１方向と交差する第２方向に沿って互いに離隔して配置される、請求項８〜１０の何れか一項に記載の表示装置。
【請求項１２】
前記磁性センサーは、前記第２方向に沿って互いに隣接して配置された複数のサブセンサーを含み、
前記複数のサブセンサーそれぞれは、前記第１方向に沿って配置される前記複数のサブパターンそれぞれと対応する、請求項１〜１１の何れか一項に記載の表示装置。
【発明の詳細な説明】
【技術分野】
【０００１】
本発明は表示装置に関し、より詳細には、フレキシブル表示パネルを含む表示装置に関する。
【背景技術】
【０００２】
表示装置はイメージを表示する装置であって、最近はフレキシブル表示装置が注目を集めている。
【０００３】
従来のフレキシブル表示装置は、イメージを表示するフレキシブル表示パネルを含む装置であって、フレキシブル表示パネルが柔軟に動くことによってフレキシブル表示パネルを折り畳んだりロールに巻いたりし、フレキシブル表示装置の全体的な大きさを減らして携帯することができていた。
【先行技術文献】
【特許文献】
【０００４】
【特許文献１】特開２０１０−０９１９９０号公報
【発明の概要】
【発明が解決しようとする課題】
【０００５】
本発明は、フレキシブル表示パネルの柔軟性に最適化したイメージを表示する表示装置を提供することを目的とする。
【課題を解決するための手段】
【０００６】
上述したような技術的課題を達成するために、本発明の一側面は、磁性体で形成された磁性パターンを含むフレキシブル表示パネル、前記磁性パターンの磁性を認識し、第１方向に可変的に露出する前記フレキシブル表示パネルの表示面積をセンシングする磁性センサー、及び前記磁性センサーと前記フレキシブル表示パネルと連結しており、前記磁性センサーがセンシングした前記フレキシブル表示パネルの前記表示面積に対応するイメージを前記フレキシブル表示パネルに表示する制御部を含む表示装置を提供する。
【０００７】
前記フレキシブル表示パネルの前記表示面積が前記第１方向に可変的に露出するように、前記フレキシブル表示パネルが前記第１方向に沿って内部に出入りするハウジングをさらに含んでもよい。
【０００８】
前記ハウジングは、前記ハウジング内部に位置して前記フレキシブル表示パネルが巻かれるロール部を含んでもよい。
【０００９】
前記磁性センサーは、前記磁性パターンと対応し、前記ハウジング内部に位置してもよい。
【００１０】
前記フレキシブル表示パネルの前記表示面積が前記第１方向に可変的に露出するように、前記フレキシブル表示パネルの一端部は、前記フレキシブル表示パネルの一領域が折り畳まれて前記第１方向上に位置する前記フレキシブル表示パネルの板面と接してもよい。
【００１１】
前記磁性センサーは、前記フレキシブル表示パネルの前記一端部に位置してもよい。
【００１２】
前記磁性パターンは、前記第１方向に沿って前記フレキシブル表示パネルに形成されてもよい。
【００１３】
前記磁性パターンは、前記第１方向に沿って互いに離隔して配置された複数のサブパターンを含んでもよい。
【００１４】
前記複数のサブパターンそれぞれは、前記第１方向に行くほど前記第１方向と交差する第２方向に長さが漸進的に長くなってもよい。
【００１５】
前記磁性センサーは、前記複数のサブパターンのうちで前記第２方向に長さが最も長いサブパターンと対応する長さを有してもよい。
【００１６】
前記複数のサブパターンそれぞれは、前記第１方向と交差する第２方向に沿って互いに離隔して配置されてもよい。
【００１７】
前記磁性センサーは、前記第２方向に沿って互いに隣接して配置された複数のサブセンサーを含み、前記複数のサブセンサーそれぞれは、前記第１方向に前記複数のサブパターンそれぞれと対応してもよい。
【発明の効果】
【００１８】
上述した本発明の課題の解決手段の実施形態の１つによれば、フレキシブル表示パネルの柔軟性に最適化したイメージを表示する表示装置が提供される。
【図面の簡単な説明】
【００１９】
【図１】本発明の第１実施形態に係る表示装置を示す図である。
【図２】本発明の第１実施形態に係る表示装置のフレキシブル表示パネルを示す図である。
【図３】本発明の第１実施形態に係る表示装置のセンシング方法を説明するための図である。
【図４】本発明の第１実施形態に係る表示装置のフレキシブル表示パネルが表示するイメージを示す図である。
【図５】本発明の第２実施形態に係る表示装置のフレキシブル表示パネルを示す図である。
【図６】本発明の第２実施形態に係る表示装置のセンシング方法を説明するための図である。
【図７】本発明の第３実施形態に係る表示装置を示す図である。
【図８】本発明の第３実施形態に係る表示装置の背面を示す図である。
【図９】本発明の第４実施形態に係る表示装置の背面を示す図である。
【発明を実施するための形態】
【００２０】
以下、添付の図面を参照しながら、本発明の多様な実施形態について、本発明が属する技術分野における当業者が容易に実施できるように詳しく説明する。本発明は多様に相違した形態で実現されることができ、ここで説明する実施形態に限定されることはない。
【００２１】
本発明を明確に説明するために説明上で不必要な部分は省略し、明細書全体に渡って同一又は類似する構成要素については同一する参照符号を付与する。
【００２２】
また、図面に示された各構成の大きさ及び厚さは、説明の便宜のために任意に示されるものであり、本発明が必ずしも示されたものに限定されるわけではない。
【００２３】
図面において、多様な層及び領域を明確に表現するために厚さを拡大して示した。また、図面において、説明の便宜のために、一部の層及び領域の厚さを誇張して示した。一部分が他の部分の「上に」あるとするとき、これは他の部分の「すぐ上に」ある場合だけではなく、その中間にさらに他の部分がある場合も含む。
【００２４】
また、明細書全体において、ある部分がある構成要素を「含む」とするとき、これは特に反対となる記載がない限り、他の構成要素を除くのではなく、他の構成要素をさらに包み得ることを意味する。さらに、明細書全体において、「〜上に」とは、対象部分の上又は下に位置することを意味するものであり、必ずしも重力方向を基準として上側に位置することを意味するものではない。
【００２５】
以下、図１〜図４を参照しながら、本発明の第１実施形態に係る表示装置を説明する。
【００２６】
図１は、本発明の第１実施形態に係る表示装置を示す図である。
【００２７】
図１に示すように、本発明の第１実施形態に係る表示装置は、フレキシブル表示パネル１００、ハウジング２００、磁性センサー３００、及び制御部４００を含む。
【００２８】
フレキシブル表示パネル１００は、表示装置で処理されるイメージを表示する。一例として、表示装置が携帯電話機などの移動端末器である場合、通話と関連するＵＩ（Ｕｓｅｒ  Ｉｎｔｅｒｆａｃｅ）又はＧＵＩ（Ｇｒａｐｈｉｃ  Ｕｓｅｒ  Ｉｎｔｅｒｆａｃｅ）などのイメージを表示してもよい。フレキシブル表示パネル１００は、液晶又は有機発光素子などを間において互いに対向するフレキシブルな基板又はフィルムなどを含んでもよい。フレキシブル表示パネル１００は、フレキシブル表示パネル１００を通じて外部を見ることができるように、透明型又は光透過型で構成されてもよい。フレキシブル表示パネル１００の前面には、タッチフィルム、タッチシート、タッチパッドなどの形態を有してタッチ動作を感知するタッチセンサーが位置してもよい。フレキシブル表示パネル１００は制御部４００と連結しており、制御部４００から送信された信号によってイメージを表示する。フレキシブル表示パネル１００は柔軟性を有しており、ハウジング２００の内部に出入りする。フレキシブル表示パネル１００はハウジング２００に対して第１方向に出入りし、フレキシブル表示パネル１００がハウジング２００の内部に出入りしながら、イメージが表示されるフレキシブル表示パネル１００の表示面積が第１方向に可変的に外部に露出する。
【００２９】
図２は、本発明の第１実施形態に係る表示装置のフレキシブル表示パネル１００を示す図である。図２は、説明の便宜上、フレキシブル表示パネル１００の背面及び磁性センサー３００を同時に示す図である。
【００３０】
図２に示すように、フレキシブル表示パネル１００は、イメージが表示され得る背面の一領域に位置する磁性パターン１１０を含む。
【００３１】
一方、本発明の第１実施形態に係る表示装置は、イメージが表示され得るフレキシブル表示パネル１００背面の一領域に磁性パターン１１０が位置するが、これに限定されるものではなく、本発明の他の実施形態に係る表示装置の磁性パターンは、イメージが表示され得るフレキシブル表示パネル前面の一領域に位置してもよい。
【００３２】
磁性パターン１１０は、フレキシブル表示パネル１００の前面、背面、又は隣接する両基板の間に位置してもよく、フレキシブル表示パネル１００を構成する配線又はタッチセンサーなどを形成するときに同時に形成されたり、追加でフレキシブル表示パネル１００の表面に形成されたりしてもよい。磁性パターン１１０は磁性を有する磁性体で形成されており、磁性パターン１１０が有する磁性は磁性センサー３００によって認識される。磁性パターン１１０は、フレキシブル表示パネル１００がハウジング２００に対して出入りする方向の第１方向に沿って、フレキシブル表示パネル１００に形成されている。磁性パターン１１０はそれぞれが互いに異なる磁性を有し、第１方向に沿って互いに離隔して配置された複数のサブパターン１１０ａ〜１１０ｋを含む。複数のサブパターン１１０ａ〜１１０ｋは、第１方向にそれぞれが互いに異なる長さを有している。具体的には、複数のサブパターン１１０ａ〜１１０ｋは、第１方向に行くほど第１方向と交差する第２方向に長さ（Ｌ１）が漸進的に長くなったり短くなったりし、複数のサブパターン１１０ａ〜１１０ｋのうちの一端部のサブパターン１１０ａから他端部のサブパターン１１０ｋまでの複数のサブパターン１１０ａ〜１１０ｋそれぞれは、第１方向に行くほど第１方向と交差する第２方向に長さが漸進的に短くなる。反対に、複数のサブパターン１１０ａ〜１１０ｋのうちの他端部のサブパターン１１０ｋから一端部のサブパターン１１０ａまでの複数のサブパターン１１０ａ〜１１０ｋそれぞれは、第１方向に行くほど第１方向と交差する第２方向に長さ（Ｌ１）が漸進的に長くなる。
【００３３】
再び図１を参照すれば、ハウジング２００はフレキシブル表示パネル１００の一端を支持し、フレキシブル表示パネル１００の表示面積が第１方向に可変的に露出するように、フレキシブル表示パネル１００を第１方向に沿って内部に出入りさせる。ハウジング２００は、フレキシブル表示パネル１００が巻かれるロール部２１０を含む。ロール部２１０はハウジング２００の内部に位置しており、フレキシブル表示パネル１００の一端を支持している。ロール部２１０はフレキシブル表示パネル１００を巻くことで、フレキシブル表示パネル１００がハウジング２００に対して第１方向に出入りするようにする。ロール部２１０自体は受動的又は能動的に回転してもよく、ロール部２１０自体が回転することにより、フレキシブル表示パネル１００はハウジング２００に対して第１方向に出入り可能になる。
【００３４】
ハウジング２００の内部には、磁性センサー３００が位置している。
【００３５】
図３は、本発明の第１実施形態に係る表示装置のセンシング方法を説明するための図である。
【００３６】
図２及び図３に示すように、磁性センサー３００は、フレキシブル表示パネル１００に形成された磁性パターン１１０と対応し、ハウジング２００の内部に位置している。磁性センサー３００は、磁性パターン１１０を認識することにより、ハウジング２００に対して出入りして第１方向に沿って可変的に外部に露出するフレキシブル表示パネル１００の表示面積をセンシングする。
【００３７】
磁性センサー３００は、磁性パターン１１０が磁性センサー３００上を通過すれば、回路的にアナログ電圧形態のセンサー出力波形を得るようになる。すなわち、磁性センサー３００は、磁性パターン１１０の磁性の大きさを認識することにより、ハウジング２００に対して出入りして外部に露出したフレキシブル表示パネル１００の表示面積をセンシングする。具体的には、フレキシブル表示パネル１００がハウジング２００に対して第１方向に出入りするとき、フレキシブル表示パネル１００に形成された磁性パターン１１０の磁性が磁性センサー３００によって認識されることにより、磁性センサー３００は認識した磁性パターン１１０の磁性をセンサー出力波形で検出する。磁性センサー３００によって検出されたセンサー出力波形はデジタル値に換算され、制御部４００に認識される。
【００３８】
一例として、複数のサブパターン１１０ａ〜１１０ｋのうちの一端部のサブパターン１１０ａが第１の大きさのセンサー出力波形（ａ）として磁性センサー３００によって検出され、複数のサブパターン１１０ａ〜１１０ｋのうちの他端部のサブパターン１１０ｋが第２の大きさのセンサー出力波形（ｋ）として磁性センサー３００によって検出される。したがって、磁性センサー３００は、複数のサブパターン１１０ａ〜１１０ｋそれぞれを認識して第１の大きさのセンサー出力波形（ａ）ないし第２の大きさのセンサー出力波形（ｋ）を検出し、第１の大きさのセンサー出力波形（ａ）ないし第２の大きさのセンサー出力波形（ｋ）それぞれによって、可変的に露出するフレキシブル表示パネル１００の表示面積をセンシングする。
【００３９】
磁性センサー３００は、複数のサブパターン１１０ａ〜１１０ｋのうちで第２方向に長さが最も長いサブパターン１１０ａと対応する長さ（Ｌ２）を有する。磁性センサー３００が複数のサブパターン１１０ａ〜１１０ｋそれぞれの長さによって互いに異なる大きさのセンサー出力波形を検出することにより、複数のサブパターン１１０ａ〜１１０ｋそれぞれを互いに異なる長さで設定すれば、構成に必要なサブパターンの個数を所望する個数とするだけで設計が可能である。
【００４０】
このように、磁性センサー３００は、フレキシブル表示パネル１００がハウジング２００に対して第１方向に出入りするとき、複数のサブパターン１１０ａ〜１１０ｋそれぞれに対応して可変的に露出する表示面積をセンシングする。磁性センサー３００がセンシングしたフレキシブル表示パネル１００の露出した表示面積に関する信号は、制御部４００に送信される。
【００４１】
図４は、本発明の第１実施形態に係る表示装置のフレキシブル表示パネルが表示するイメージを示す図である。
【００４２】
図４に示すように、制御部４００は、磁性センサー３００及びフレキシブル表示パネル１００と連結しており、磁性センサー３００がセンシングしたフレキシブル表示パネル１００の露出した表示面積に対応するイメージをフレキシブル表示パネル１００に表示する。
【００４３】
具体的には、図４（ａ）に示すように、フレキシブル表示パネル１００がハウジング２００に対して第１方向に出入りして第１表示面積（ＤＳ１）が露出されれば、磁性センサー３００は複数のサブパターン１１０ａ〜１１０ｋのうちで第１表示面積（ＤＳ１）が露出したときのサブパターンの磁性を認識して第１表示面積（ＤＳ１）をセンシングし、第１表示面積（ＤＳ１）に関連する信号を制御部４００に送信する。制御部４００はこの信号を受信し、フレキシブル表示パネル１００の第１表示面積（ＤＳ１）に対応する第１の大きさのイメージを表示する。このとき、制御部４００は、第１表示面積（ＤＳ１）が露出したときのサブパターンに対応して露出したフレキシブル表示パネル１００の第１表示面積（ＤＳ１）に対応する値を格納したり、既に格納された値をローディングしたりしてもよい。
【００４４】
また、図４（ｂ）に示すように、フレキシブル表示パネル１００がハウジング２００に対して第１方向に出入りして第１表示面積（ＤＳ１）と比べて大きい第２表示面積（ＤＳ２）が露出されれば、磁性センサー３００は複数のサブパターン１１０ａ〜１１０ｋのうちで第２表示面積（ＤＳ２）が露出したときのサブパターンの磁性を認識して第２表示面積（ＤＳ２）をセンシングし、第２表示面積（ＤＳ２）に関連する信号を制御部４００に送信する。制御部４００はこの信号を受信し、フレキシブル表示パネル１００の第２表示面積（ＤＳ２）に対応する第２の大きさのイメージを表示する。このとき、制御部４００は、第２表示面積（ＤＳ２）が露出したときのサブパターンに対応して露出したフレキシブル表示パネル１００の第２表示面積（ＤＳ２）に対応する値を格納したり、既に格納された値をローディングしたりしてもよい。
【００４５】
さらに、図４の（ｃ）に示すように、フレキシブル表示パネル１００がハウジング２００に対して第１方向に出入りして第２表示面積（ＤＳ２）と比べて大きい第３表示面積（ＤＳ３）が露出されれば、磁性センサー３００は複数のサブパターン１１０ａ〜１１０ｋのうちで第３表示面積（ＤＳ３）が露出したときのサブパターンの磁性を認識して第３表示面積（ＤＳ３）をセンシングし、第３表示面積（ＤＳ３）に関連する信号を制御部４００に送信する。制御部４００はこの信号を受信し、フレキシブル表示パネル１００の第３表示面積（ＤＳ３）に対応する第３大きさのイメージを表示する。このとき、制御部４００は、第３表示面積（ＤＳ３）が露出したときのサブパターンに対応して露出したフレキシブル表示パネル１００の第３表示面積（ＤＳ３）に対応する値を格納したり、既に格納された値をローディングしたりしてもよい。
【００４６】
特に、ハウジング２００に対してフレキシブル表示パネル１００が第１方向に出入りするとき、磁性センサー３００がフレキシブル表示パネル１００に形成された複数のサブパターン１１０ａ〜１１０ｋ全体に対する順序を認識するのではなく、磁性センサー３００が複数のサブパターン１１０ａ〜１１０ｋそれぞれに対応するフレキシブル表示パネル１００の表示面積それぞれをセンシングし、複数のサブパターン１１０ａ〜１１０ｋそれぞれに対応するフレキシブル表示パネル１００の露出した表示面積それぞれを直接に認知するため、表示装置はいかなる状況及び条件でも、表示装置に電源が供給されさえすれば、ハウジング２００に対するフレキシブル表示パネル１００の出入り過程をモニタリングすることなく、現在露出している表示面積に対応するサブパターンの磁性を認識し、その露出した表示面積に対応する大きさのイメージを表示する。
【００４７】
以上のように、本発明の第１実施形態に係る表示装置は、磁性センサー３００がフレキシブル表示パネル１００に形成された磁性パターン１１０の磁性を認識し、ハウジング２００に対して出入りして外部に露出したフレキシブル表示パネル１００の表示面積をセンシングし、この表示面積に対応するイメージをフレキシブル表示パネル１００に表示する。すなわち、フレキシブル表示パネル１００の柔軟性に最適化したイメージを表示する表示装置が提供される。
【００４８】
特に、本発明の第１実施形態に係る表示装置は、ハウジング２００内部に位置する磁性センサー３００を利用してフレキシブル表示パネル１００に形成された磁性パターン１１０の磁性を認識し、ハウジング２００の内部に対して出入りして外部に露出したフレキシブル表示パネル１００の表示面積をセンシングするため、フレキシブル表示パネル１００の露出した板面がハウジング２００から排出されて非線形的に曲がったとしても、ハウジング２００から排出されて外部に露出したフレキシブル表示パネル１００の正確な表示面積をセンシングすることができる。すなわち、本発明の第１実施形態に係る表示装置は、フレキシブル表示パネル１００がハウジング２００から排出された後の全体面積をセンシングするのではなく、フレキシブル表示パネル１００がハウジング２００に対して出入りするとき、磁性センサー３００がリアルタイムでフレキシブル表示パネル１００の磁性パターン１１０を認識して外部に露出したフレキシブル表示パネル１００の表示面積をセンシングするため、フレキシブル表示パネル１００の露出した板面が柔軟に動いて非線形的に曲がったとしても、磁性パターン１１０を利用して外部に露出したフレキシブル表示パネル１００の正確な表示面積をセンシングし、この表示面積に対応する大きさのイメージを表示することができる。
【００４９】
さらに、本発明の第１実施形態に係る表示装置は、ロール部２１０の回転数をカウントして間接的にフレキシブル表示パネル１００の表示面積をセンシングしたり、赤外線又は超音波などの距離測定手段を利用して広がった後のフレキシブル表示パネル１００の表示面積をセンシングしたりするのではなく、フレキシブル表示パネル１００の柔軟性を考慮した上で、ハウジング２００に対してフレキシブル表示パネル１００が出入りするとき、フレキシブル表示パネル１００に形成された磁性パターン１１０の磁性をリアルタイムで認識してフレキシブル表示パネル１００の露出した表示面積をセンシングするため、フレキシブル表示パネル１００の可変的な表示面積に対応する正確な大きさのイメージが可変的にフレキシブル表示パネル１００に表示される。これは、表示装置に対するユーザの全体的な満足度を向上させる要因として作用する。
【００５０】
また、本発明の第１実施形態に係る表示装置は、ハウジング２００に対してフレキシブル表示パネル１００が第１方向に出入りするとき、磁性センサー３００がフレキシブル表示パネル１００に形成された複数のサブパターン１１０ａ〜１１０ｋ全体に対する順序を認識するのではなく、磁性センサー３００が複数のサブパターン１１０ａ〜１１０ｋそれぞれに対応するフレキシブル表示パネル１００の表示面積それぞれをセンシングし、複数のサブパターン１１０ａ〜１１０ｋそれぞれに対応するフレキシブル表示パネル１００の露出した表示面積それぞれを直接に認知するため、表示装置はいかなる状況及び条件でも、表示装置に電源が供給されさえすれば、ハウジング２００に対するフレキシブル表示パネル１００の出入り過程をモニタリングすることなく、現在露出している表示面積に対応するサブパターンを認知し、その露出した表示面積に対応する大きさのイメージを表示する。すなわち、本発明の第１実施形態に係る表示装置は、磁性センサー３００が互いに異なる磁性を有する複数のサブパターン１１０ａ〜１１０ｋそれぞれを独立して認知することにより、電源が突然切れた後についたり、フレキシブル表示パネル１００を広げた後に一定部分を再び巻き戻したりするなどの出来事が発生しても、追加の構成をすることなく露出した表示面積に対応する大きさのイメージを表示する。
【００５１】
また、本発明の第１実施形態に係る表示装置は、磁性センサー３００が磁性パターン１１０の磁性を認識してフレキシブル表示パネル１００の表示面積を認識することにより、磁性センサー３００と磁性パターン１１０との間に追加の構造物が位置したとしても、磁性センサー３００がセンシングのエラーを起こすことなく磁性パターン１１０の磁性を認識し、フレキシブル表示パネル１００の表示面積を認識することができる。すなわち、設計の便宜のために磁性センサー３００と磁性パターン１１０との間に追加の構造物が位置したとしても、磁性センサー３００によるフレキシブル表示パネル１００の表示面積のセンシングが容易に実行される。一方、フレキシブル表示パネルとセンサーとの間の認識手段として光を利用するとき、外部の光によってフレキシブル表示パネルの表示面積のセンシングの信頼性が低下する可能性があるが、本発明の第１実施形態に係る表示装置は、フレキシブル表示パネル１００の磁性パターン１１０と磁性センサー３００との間の認識手段として磁性を利用するため、上述したようなセンシングの信頼性の低下を防ぐことができる。
【００５２】
以下、図５及び図６を参照しながら、本発明の第２実施形態に係る表示装置を説明する。
【００５３】
以下、第１実施形態と区別される特徴的な部分のみを抜粋して説明するが、説明が省略された部分は第１実施形態に係る。また、本発明の第２実施形態では、説明の便宜のために、同一する構成要素に対しては、本発明の第１実施形態と同一する参照番号を使用して説明する。
【００５４】
図５は、本発明の第２実施形態に係る表示装置のフレキシブル表示パネルを示す図である。図５は、説明の便宜上、フレキシブル表示パネル１０２の背面及び磁性センサー３０２を同時に示す図である。
【００５５】
図５に示すように、本発明の第２実施形態に係る表示装置のフレキシブル表示パネル１０２は、イメージが表示され得る背面の一領域に位置する磁性パターン１１２を含む。
【００５６】
磁性パターン１１２は、フレキシブル表示パネル１０２の前面、背面、又は隣接する両基板の間に位置してもよく、フレキシブル表示パネル１０２を構成する配線又はタッチセンサーなどを形成するときに同時に形成されたり、追加でフレキシブル表示パネル１０２の表面に形成されたりしてもよい。磁性パターン１１２は磁性を有する磁性体で形成されており、磁性パターン１１２が有する磁性は磁性センサー３０２によって認識される。磁性パターン１１２は、フレキシブル表示パネル１０２がハウジング２００に対して出入りする方向である第１方向に沿って、フレキシブル表示パネル１０２に形成されている。磁性パターン１１２はそれぞれが互いに異なる位置に形成され、第１方向に沿って互いに離隔して配置されると同時に、第１方向と交差する第２方向に沿って互いに離隔して配置された複数のサブパターン１１２ａ〜１１２ｈを含む。複数のサブパターン１１２ａ〜１１２ｈは、それぞれが互いに同じ長さを有してもよい。
【００５７】
図６は、本発明の第２実施形態に係る表示装置のセンシング方法を説明するための図である。
【００５８】
図５及び図６に示すように、磁性センサー３０２は、フレキシブル表示パネル１０２に形成された複数のサブパターン１１２ａ〜１１２ｈそれぞれと対応し、それぞれが第２方向に互いに隣接して配置された複数のサブセンサー３０２ａ〜３０２ｈを含む。複数のサブセンサー３０２ａ〜３０２ｈそれぞれは、第１方向に沿って配置される複数のサブパターン１１２ａ〜１１２ｈそれぞれと対応しており、複数のサブセンサー３０２ａ〜３０２ｈそれぞれは、対応する複数のサブパターン１１２ａ〜１１２ｈそれぞれの磁性を認識する。
【００５９】
複数のサブセンサー３０２ａ〜３０２ｈのうちの一つのサブセンサー３０２ａは、複数のサブパターン１１２ａ〜１１２ｈのうちで第１方向に対応する一つのサブパターン１１２ａが一つのサブセンサー３０２ａ上を通過すれば、回路的にアナログ電圧形態のセンサー出力波形を得るようになる。すなわち、磁性センサー３０２は、複数のサブセンサー３０２ａ〜３０２ｈそれぞれに対応する複数のサブパターン１１２ａ〜１１２ｈそれぞれを認識することにより、ハウジング２００に対して出入りして外部に露出したフレキシブル表示パネル１０２の表示面積をセンシングする。具体的には、フレキシブル表示パネル１０２がハウジング２００に対して第１方向に出入りするとき、フレキシブル表示パネル１０２に形成された複数のサブパターン１１２ａ〜１１２ｈそれぞれの磁性が複数のサブセンサー３０２ａ〜３０２ｈそれぞれによって認識されることにより、磁性センサー３０２は認識した磁性パターン１１２の磁性をセンサー出力波形で検出する。磁性センサー３０２によって検出されたセンサー出力波形はデジタル値に換算され、制御部４００に認識される。
【００６０】
一例として、複数のサブパターン１１２ａ〜１１２ｈのうちの一端部のサブパターン１１２ａが第１センサー出力波形（ａ）として複数のサブセンサー３０２ａ〜３０２ｈのうちの一端部のサブセンサー３０２ａによって検出され、複数のサブパターン１１２ａ〜１１２ｈのうちの他端部のサブパターン１１２ｈが第２センサー出力波形（ｈ）として複数のサブセンサー３０２ａ〜３０２ｈのうちの他端部のサブセンサー３０２ｈによって検出される。したがって、磁性センサー３０２は、複数のサブパターン１１２ａ〜１１２ｈそれぞれを認識して第１センサー出力波形（ａ）ないし第２センサー出力波形（ｈ）それぞれを検出し、第１センサー出力波形（ａ）ないし第２センサー出力波形（ｈ）それぞれによって、可変的に露出するフレキシブル表示パネル１０２の表示面積それぞれをセンシングする。
【００６１】
磁性センサー３０２が複数のサブパターン１１２ａ〜１１２ｈそれぞれをその位置に応じてセンサー出力波形で検出することにより、複数のサブパターン１１２ａ〜１１２ｈの個数及び複数のサブセンサー３０２ａ〜３０２ｈの個数を同じ個数で設定すれば、構成させるサブパターン及びサブセンサーの個数を所望する個数とするだけで設計が可能である。
【００６２】
このように、磁性センサー３０２は、フレキシブル表示パネル１０２がハウジング２００に対して第１方向に出入りするとき、複数のサブパターン１１２ａ〜１１２ｈそれぞれに対応して可変的に露出する表示面積をセンシングする。磁性センサー３０２がセンシングしたフレキシブル表示パネル１０２の露出した表示面積に関する信号は、制御部４００に送信される。
【００６３】
以上のように、本発明の第２実施形態に係る表示装置は、磁性センサー３０２がフレキシブル表示パネル１０２に形成された磁性パターン１１２の磁性を認識し、ハウジング２００に対して出入りして外部に露出したフレキシブル表示パネル１０２の表示面積をセンシングし、この表示面積に対応するイメージをフレキシブル表示パネル１０２に表示する。すなわち、フレキシブル表示パネル１０２の柔軟性に最適化したイメージを表示する表示装置が提供される。
【００６４】
特に、本発明の第２実施形態に係る表示装置は、複数のサブセンサー３０２ａ〜３０２ｈを利用して複数のサブセンサー３０２ａ〜３０２ｈのうちで磁性が認識されるサブセンサーのみを認識してフレキシブル表示パネル１０２の表示面積をセンシングするため、複数のサブセンサー３０２ａ〜３０２ｈそれぞれを利用して複数のサブパターン１１２ａ〜１１２ｈそれぞれを独立に認識してフレキシブル表示パネル１０２の正確な表示面積に対するセンシングを実行し、露出した表示面積に対応する正確な大きさのイメージを表示する。
【００６５】
以下、図７及び図８を参照しながら、本発明の第３実施形態に係る表示装置を説明する。
【００６６】
以下、第１実施形態と区別される特徴的な部分のみを抜粋して説明するが、説明が省略された部分は第１実施形態に係る。
【００６７】
図７は、本発明の第３実施形態に係る表示装置を示す図である。図８は、本発明の第３実施形態に係る表示装置の背面を示す図である。
【００６８】
図７及び図８に示すように、本発明の第３実施形態に係る表示装置は、フレキシブル表示パネル１０３、磁性センサー３０３、及び制御部４０３を含む。
【００６９】
フレキシブル表示パネル１０３は柔軟性を有しており、フレキシブル表示パネル１０３の一領域（ＦＡ）が折り畳まれる。フレキシブル表示パネル１０３の一領域（ＦＡ）が折り畳まれながら、イメージが表示されるフレキシブル表示パネル１０３の表示面積が第１方向に可変的に外部に露出する。フレキシブル表示パネル１０３の一端部は、フレキシブル表示パネル１０３の一領域（ＦＡ）が折り畳まれて第１方向上に位置するフレキシブル表示パネル１０３の板面と接する。フレキシブル表示パネル１０３は、イメージが表示され得る背面の板面に形成された磁性パターン１１３を含む。
【００７０】
磁性パターン１１３は、フレキシブル表示パネル１０３の前面、背面、又は隣接する両基板の間に位置してもよく、フレキシブル表示パネル１０３を構成する配線又はタッチセンサーなどを形成するときに同時に形成されたり、追加でフレキシブル表示パネル１０３の表面に形成されたりしてもよい。磁性パターン１１３は磁性を有する磁性体で形成されており、磁性パターン１１３が有する磁性は磁性センサー３０３によって認識される。磁性パターン１１３は、フレキシブル表示パネル１０３の一領域（ＦＡ）が折り畳まれて表示面積が可変的に露出する方向である第１方向に沿って、フレキシブル表示パネル１０３に形成されている。磁性パターン１１３はそれぞれが互いに異なる磁性を有し、第１方向に沿って互いに離隔して配置された複数のサブパターン１１３ａ〜１１３ｋを含む。複数のサブパターン１１３ａ〜１１３ｋは、第１方向にそれぞれが互いに異なる長さを有している。具体的には、複数のサブパターン１１３ａ〜１１３ｋそれぞれは、第１方向に行くほど第１方向と交差する第２方向に長さ（Ｌ１）が漸進的に長くなったり短くなったりし、複数のサブパターン１１３ａ〜１１３ｋのうちの一端部のサブパターン１１３ａから他端部のサブパターン１１３ｋまでの複数のサブパターン１１３ａ〜１１３ｋそれぞれは、第１方向に行くほど第１方向と交差する第２方向に長さが漸進的に短くなる。反対に、複数のサブパターン１１３ａ〜１１３ｋのうちの他端部のサブパターン１１３ｋから一端部のサブパターン１１３ａまでの複数のサブパターン１１３ａ〜１１３ｋそれぞれは、第１方向に行くほど第１方向と交差する第２方向に長さ（Ｌ１）が漸進的に長くなる。
【００７１】
磁性センサー３０３は、フレキシブル表示パネル１０３の一領域（ＦＡ）が折り畳まれて磁性パターン１１３が形成されたフレキシブル表示パネル１０３の板面と接するフレキシブル表示パネル１０３の端部に位置している。フレキシブル表示パネル１０３の端部がフレキシブル表示パネル１０３の板面と接しながら、磁性センサー３０３はフレキシブル表示パネル１０３の板面に形成された磁性パターン１１３を認識するが、これによって磁性センサー３０３は、第１方向に可変的に露出するフレキシブル表示パネル１０３の表示面積をセンシングする。磁性センサー３０３は、複数のサブパターン１１３ａ〜１１３ｋのうちで第２方向に長さが最も長いサブパターン１１３ａと対応する長さ（Ｌ２）を有する。磁性センサー３０３によるフレキシブル表示パネル１０３の表示面積のセンシング方法は、上述した本発明の第１実施形態で既に説明した。
【００７２】
制御部４０３は、フレキシブル表示パネル１０３の他端部に位置している。
【００７３】
以上のように、本発明の第３実施形態に係る表示装置は、磁性センサー３０３がフレキシブル表示パネル１０３に形成された磁性パターン１１３の磁性を認識し、一領域（ＦＡ）が折り畳まれて可変的に外部に露出するフレキシブル表示パネル１０３の表示面積をセンシングし、この表示面積に対応するイメージをフレキシブル表示パネル１０３に表示する。すなわち、フレキシブル表示パネル１０３の柔軟性に最適化したイメージを表示する表示装置が提供される。
【００７４】
特に、本発明の第３実施形態に係る表示装置は、フレキシブル表示パネル１０３の一端部に位置する磁性センサー３０３を利用してフレキシブル表示パネル１０３に形成された磁性パターン１１３の磁性を認識し、一領域（ＦＡ）が折り畳まれて可変的に外部に露出するフレキシブル表示パネル１０３の表示面積をセンシングするため、フレキシブル表示パネル１０３の露出した板面が非線形的に曲がったとしても、正確に外部に露出したフレキシブル表示パネル１０３の表示面積をセンシングすることができる。すなわち、本発明の第３実施形態に係る表示装置は、フレキシブル表示パネル１０３の一領域（ＦＡ）が折り畳まれるとき、磁性センサー３０３がリアルタイムでフレキシブル表示パネル１０３の磁性パターン１１３を認識して外部に露出したフレキシブル表示パネル１０３の表示面積をセンシングするため、フレキシブル表示パネル１０３の露出した板面が柔軟に動いて非線形的に曲がったとしても、磁性パターン１１３を利用して外部に露出したフレキシブル表示パネル１０３の正確な表示面積をセンシングし、この表示面積に対応する大きさのイメージを表示することができる。
【００７５】
さらに、本発明の第３実施形態に係る表示装置は、ハウジング２００に対して出入りするフレキシブル表示パネル１０３の表示面積をセンシングするのではなく、フレキシブル表示パネル１０３自体が折り畳まれて可変的に変化するフレキシブル表示パネル１０３の表示面積をセンシングするため、折り畳まれるフレキシブル表示パネル１０３に最適化したイメージがフレキシブル表示パネル１０３に表示される。これは、表示装置に対するユーザの全体的な満足度を向上させる要因として作用する。
【００７６】
また、本発明の第３実施形態に係る表示装置は、フレキシブル表示パネル１０３が折り畳まれる過程ではなく、折り畳まれた後に磁性センサー３０３がフレキシブル表示パネル１０３に形成された複数のサブパターン１１３ａ〜１１３ｋのうちの一つのサブパターンを認識してフレキシブル表示パネル１０３の表示面積を直接にセンシングし、一つのサブパターンに対応するフレキシブル表示パネル１０３の露出した表示面積を直接に認知するため、表示装置はいかなる状況及び条件でも、表示装置に電源が供給されさえすれば、フレキシブル表示パネル１０３の折り畳まれる過程をモニタリングすることなく、現在露出している表示面積に対応する一つのサブパターンを認知し、その露出した表示面積に対応する大きさのイメージを表示する。すなわち、本発明の第３実施形態に係る表示装置は、磁性センサー３０３が互いに異なる磁性を有する複数のサブパターン１１３ａ〜１１３ｋそれぞれを独立して認知することにより、電源が突然切れた後についたり、フレキシブル表示パネル１０３に対する多様な折り畳み動作が行われたりするなどの出来事が発生しても、追加の構成をすることなく露出した表示面積に対応する大きさのイメージを表示する。
【００７７】
また、本発明の第３実施形態に係る表示装置は、磁性センサー３０３が磁性パターン１１３の磁性を認識してフレキシブル表示パネル１０３の表示面積を認識することにより、磁性センサー３０３と磁性パターン１１３との間に追加の構造物が位置したとしても、磁性センサー３０３がセンシングのエラーを起こすことなく磁性パターン１１３の磁性を認識し、フレキシブル表示パネル１０３の表示面積を認識することができる。すなわち、設計の便宜のために磁性センサー３０３と磁性パターン１１３との間に追加の構造物が位置したとしても、磁性センサー３０３によるフレキシブル表示パネル１０３の表示面積のセンシングが容易に実行される。特に、フレキシブル表示パネルとセンサーとの間の認識手段として光などを利用するとき、外光によってフレキシブル表示パネルの表示面積のセンシングの信頼性が低下する可能性があるが、本発明の第３実施形態に係る表示装置は、フレキシブル表示パネル１０３の磁性パターン１１３と磁性センサー３０３との間の認識手段として磁性を利用するため、上述したようなセンシングの信頼性の低下を防ぐことができる。
【００７８】
以下、図９を参照しながら、本発明の第４実施形態に係る表示装置を説明する。
【００７９】
以下、第３実施形態と区別される特徴的な部分のみを抜粋して説明するが、説明が省略された部分は第３実施形態に係る。
【００８０】
図９は、本発明の第４実施形態に係る表示装置の背面を示す図である。
【００８１】
図９に示すように、本発明の第４実施形態に係る表示装置のフレキシブル表示パネル１０４は、イメージが表示され得る背面の一領域に位置する磁性パターン１１４を含む。
【００８２】
磁性パターン１１４は、フレキシブル表示パネル１０４の一領域（ＦＡ）が折り畳まれて表示面積が可変的に露出する方向の第１方向に沿ってフレキシブル表示パネル１０４に形成されている。磁性パターン１１４はそれぞれが互いに異なる位置に形成され、第１方向に沿って互いに離隔して配置されると同時に、第１方向と交差する第２方向に沿って互いに離隔して配置された複数のサブパターン１１４ａ〜１１４ｈを含む。複数のサブパターン１１４ａ〜１１４ｈは、それぞれが互いに同じ長さを有してもよい。
【００８３】
磁性センサー３０４は、フレキシブル表示パネル１０４に形成された複数のサブパターン１１４ａ〜１１４ｈそれぞれと対応し、それぞれが第２方向に互いに隣接して配置された複数のサブセンサー３０４ａ〜３０４ｈを含む。複数のサブセンサー３０４ａ〜３０４ｈそれぞれは、第１方向に沿って配置される複数のサブパターン１１４ａ〜１１４ｈそれぞれと対応しており、複数のサブセンサー３０４ａ〜３０４ｈそれぞれは、対応する複数のサブパターン１１４ａ〜１１４ｈそれぞれの磁性を認識する。
【００８４】
複数のサブセンサー３０４ａ〜３０４ｈのうちの一つのサブセンサー３０４ａは、複数のサブパターン１１４ａ〜１１４ｈのうちで第１方向に対応する一つのサブパターン１１４ａが一つのサブセンサー３０４ａ上を通過すれば、回路的にアナログ電圧形態のセンサー出力波形を得るようになる。すなわち、磁性センサー３０４は、フレキシブル表示パネル１０４の一領域（ＦＡ）が折り畳まれてフレキシブル表示パネル１０４の端部がフレキシブル表示パネル１０４の板面と接しながら、複数のサブセンサー３０４ａ〜３０４ｈそれぞれが複数のサブパターン１１４ａ〜１１４ｈそれぞれを認識することにより、磁性センサー３０４は第１方向に可変的に露出するフレキシブル表示パネル１０４の表示面積をセンシングする。複数のサブセンサー３０４ａ〜３０４ｈを含む磁性センサー３０４によるフレキシブル表示パネル１０４の表示面積のセンシング方法は、上述した本発明の第２実施形態で既に説明した。
【００８５】
以上のように、本発明の第４実施形態に係る表示装置は、磁性センサー３０４がフレキシブル表示パネル１０４に形成された磁性パターン１１４の磁性を認識し、一領域（ＦＡ）が折り畳まれて可変的に外部に露出するフレキシブル表示パネル１０４の表示面積をセンシングし、この表示面積に対応するイメージがフレキシブル表示パネル１０４に表示されることにより、フレキシブル表示パネル１０４の柔軟性に最適化したイメージを表示する表示装置が提供される。
【００８６】
特に、本発明の第４実施形態に係る表示装置は、複数のサブセンサー３０４ａ〜３０４ｈを利用して複数のサブセンサー３０４ａ〜３０４ｈのうちの磁性が認識されるサブセンサーのみを認識してフレキシブル表示パネル１０４の表示面積をセンシングするため、複数のサブセンサー３０４ａ〜３０４ｈを利用して複数のサブパターン１１４ａ〜１１４ｈを独立に認識してフレキシブル表示パネル１０４の正確な表示面積に対するセンシングを実行し、露出した表示面積に対応する正確な大きさのイメージを表示する。
【００８７】
本発明を上述した好ましい実施形態を参照しながら説明したが、本発明はこれに限定されるものではなく、本発明の特許請求の範囲の概念と範囲を逸脱しない限り、多様な修正及び変更が可能であるということは、本発明が属する技術分野における当業者であれば容易に理解することができるであろう。
【符号の説明】
【００８８】
１００、１０２、１０３、１０４  フレキシブル表示パネル
１１０、１１２、１１３、１１４  磁性パターン
１１０ａ〜１１０ｋ、１１２ａ〜１１２ｈ、１１３ａ〜１１３ｋ  サブパターン
２００  ハウジング    ２１０  ロール部
３００、３０２、３０３、３０４  磁性センサー
３０２ａ〜３０２ｈ、３０４ａ〜３０４ｈ  サブセンサー
４００、４０３、４０４  制御部
ａ〜ｋ  センサー出力波形
ＤＳ１  第１表示面積
ＤＳ２  第２表示面積
ＤＳ３  第３表示面積
ＦＡ  フレキシブル表示パネル１０３の一部の領域
Ｌ１、Ｌ２  長さ
【図１】
2013242530.tif 000003
【図２】
2013242530.tif 000004
【図３】
2013242530.tif 000005
【図４】
2013242530.tif 000006
【図５】
2013242530.tif 000007
【図６】
2013242530.tif 000008
【図７】
2013242530.tif 000009
【図８】
2013242530.tif 000010
【図９】
2013242530.tif 000011